(57)【要約】【課題】コンタクトに負担がかからず、自然な動作でリセプタクルからプラグを抜くことができるプラグのロック機構を提供する。【解決手段】プラグハウジング１にコンタクト２がディアルインライン形に配列されており、レバー部３Ａ・３Ｂがプラグハウジング１から延出するようにしてプラグシャッター３がプラグハウジング１に摺動可能に内装されている。レバー部３Ａ・３Ｂをリセプタクル９から離反する方向にすなわち、プラグの挿抜方向と平行に移動させると、プラグシャッター３内に形成された凸部３Ｅ・３Ｆが、ロックアーム７Ａ・７Ｂの先端に形成されているフック部７３Ａ・７３Ｂを互いに近づく方向に移動させ、フック部７３Ａ・７３Ｂにおけるリセプタクル９へのロック状態を解除できる。【選択図】      図５
2004259552.tif 000002
【特許請求の範囲】
【請求項１】
相手側リセプタクルに挿入されるためのヘッダー部はプラグフレーム部から突出しており、当該ヘッダー部と当該プラグフレーム部とが一体に形成されている絶縁性のプラグハウジングと、
屈曲板ばねによるコンタクトであって、前記ヘッダー部に形成されている取り付け板部を間にして前記屈曲板ばねにおける各々の屈曲頂部が相反するように一対に並列配置されている複数のコンタクトと、
シャッターフレーム部の両翼に相反するように第１と第２のレバー部を形成しており、当該第１と第２のレバー部は前記プラグフレーム部の側面から延出しており、当該シャッターフレーム部は前記複数のコンタクトを覆うようにして前記プラグフレーム部に摺動可能に内装されている絶縁性のプラグシャッターと、
自由端部と固定端部とをそれぞれ有しており、当該自由端部は相手側リセプタクルにおける開口部内壁に係止するための第１と第２のフック部がそれぞれ形成されており、当該第１と第２のフック部が前記プラグフレーム部から突出しており、当該固定端部は前記開口部内壁に係止するための間隔を有して前記プラグフレーム部内に当該第１と第２のフック部が相反するようにそれぞれ固定されている第１と第２のロックアームと、を備えているプラグであって、
前記第１と第２のロックアームは前記自由端部と前記固定端部の間にそれぞれ第１と第２の作用片が相反するように形成されており、
前記シャッターフレーム部は前記第１と第２のロックアームの両翼にそれぞれが対向するように配置されている第１と第２の凸部を有しており、
前記第１と第２のレバー部を相手側リセプタクルから離反する方向に移動させると、前記第１と第２の凸部はそれぞれ第１と第２の作用片が当接して当該第１と第２のフック部のそれぞれが互いに近づく方向にそれぞれ移動し、当該プラグは相手側リセプタクルと解除状態になることを特徴とするプラグのロック機構。
【請求項２】
請求項１記載のプラグのロック機構において、
前記第１と第２の凸部がそれぞれ第１と第２の作用片に当接しないように、前記第１と第２の凸部を形成している前記シャッターフレーム部を前記自由端部側に移動させる力を付勢している弾性部材を備えていることを特徴とするプラグのロック機構。
【請求項３】
請求項２に記載のプラグのロック機構において、
前記第１と第２のフック部はそれぞれ概二等辺直角三角形に形成されており、
前記第１と第２のフック部におけるそれぞれの先端は、相手側リセプタクルの前記開口部における幅方向の縁部に当接するための斜面部を形成しており、
前記第１と第２のフック部におけるそれぞれの後端は、前記開口部内壁に係止するための鈍角部を形成していることを特徴とするプラグのロック機構。
【請求項４】
請求項１から３のいずれかに記載のプラグのロック機構において、
前記プラグフレーム部を外被すると共に一部が突出してヘッダー部を部分的に外被している金属薄板の第１のシェルを更に備えていることを特徴とするプラグのロック機構。
【請求項５】
請求項１から４のいずれかに記載のプラグのロック機構において、
前記ヘッダー部が相手側リセプタクルに挿入されていないときは、前記シャッターフレーム部は前記複数のコンタクトをその両側から包囲しており、
前記ヘッダー部が相手側リセプタクルに挿入されているときは、前記シャッターフレーム部は相手側リセプタクルに押されて前記ヘッダー部から前記プラグフレーム部に後退して前記複数のコンタクトを露出させることを特徴とするプラグのロック機構。
【請求項６】
相手側リセプタクルに挿入されるためのヘッダー部はプラグフレーム部から突出しており、当該ヘッダー部と当該プラグフレーム部とが一体に形成されている絶縁性のプラグハウジングと、
屈曲板ばねによるコンタクトであって、前記ヘッダー部に形成されている取り付け板部を間にして前記屈曲板ばねにおける各々の屈曲頂部が相反するように一対に並列配置されている複数のコンタクトと、
前記複数のコンタクトにおける各々の縁部は前記ヘッダー部の下端に対向して延出しており、端部の両面に形成されているライン接続端子が前記複数のコンタクトにおける当該各々の縁部に溶着されて前記プラグハウジングに保持されているプリント基板と、
シャッターフレーム部の両翼に相反するように第１と第２のレバー部を形成しており、当該第１と第２のレバー部は前記プラグフレーム部の側面から延出しており、当該シャッターフレーム部は前記複数のコンタクトを覆うようにして前記プラグフレーム部に摺動可能に内装されている絶縁性のプラグシャッターと、
自由端部と固定端部とをそれぞれ有しており、当該自由端部は相手側リセプタクルにおける開口部内壁に係止するための第１と第２のフック部がそれぞれ形成されており、当該第１と第２のフック部が前記プラグフレーム部から突出しており、当該固定端部は前記開口部内壁に係止するための間隔を有して前記プラグフレーム部内に当該第１と第２のフック部が相反するようにそれぞれ固定されている第１と第２のロックアームと、を備えているプラグであって、
前記第１と第２のロックアームは前記自由端部と前記固定端部の間にそれぞれ第１と第２の作用片が相反するように形成されており、
前記シャッターフレーム部は前記第１と第２のロックアームの両翼にそれぞれが対向するように配置されている第１と第２の凸部を有しており、
前記第１と第２のレバー部を相手側リセプタクルから離反する方向に移動させると、前記第１と第２の凸部はそれぞれ第１と第２の作用片が当接して当該第１と第２のフック部のそれぞれが互いに近づく方向にそれぞれ移動し、当該プラグは相手側リセプタクルと解除状態になることを特徴とするプラグのロック機構。
【請求項７】
相手側リセプタクルに挿入されるためのヘッダー部はプラグフレーム部から突出しており、当該ヘッダー部と当該プラグフレーム部とが一体に形成されている絶縁性のプラグハウジングと、
屈曲板ばねによるコンタクトであって、前記ヘッダー部に形成されている取り付け板部を間にして前記屈曲板ばねにおける各々の屈曲頂部が相反するように一対に並列配置されている複数のコンタクトと、
前記複数のコンタクトにおける各々の縁部は前記ヘッダー部の下端に対向して延出しており、端部の両面に形成されているライン接続端子が前記複数のコンタクトにおける当該各々の縁部に溶着されて前記プラグハウジングに保持されているプリント基板と、
シャッターフレーム部の両翼に相反するように第１と第２のレバー部を形成しており、当該第１と第２のレバー部は前記プラグフレーム部の側面から延出しており、当該シャッターフレーム部は前記複数のコンタクトを覆うようにして前記プラグフレーム部に摺動可能に内装されている絶縁性のプラグシャッターと、
自由端部と固定端部とをそれぞれ有しており、当該自由端部は相手側リセプタクルにおける開口部内壁に係止するための第１と第２のフック部がそれぞれ形成されており、当該第１と第２のフック部が前記プラグフレーム部から突出しており、当該固定端部は前記開口部内壁に係止するための間隔を有して前記プラグフレーム部内に当該第１と第２のフック部が相反するようにそれぞれ固定されている第１と第２のロックアームと、
前記プラグフレーム部を外装している第１のシェルと、
横断面がコの字状に形成されており、対向する第１の両側面を有する第１の底面が前記第１のシェルと連結可能とする第１のメタルカバーと、
横断面がコの字状に形成されており、対向する第２の両側面を有する第２の底面が前記第１のシェルと連結可能とする第２のメタルカバーと、
前記第１のメタルカバーと前記第２のメタルカバーを内装しており、前記第１のシェルを連結させるためのケーブルシールディングクランプと、を備えているケーブル用プラグであって、
前記第１と第２のロックアームは前記自由端部と前記固定端部の間にそれぞれ第１と第２の作用片が相反するように形成されており、
前記シャッターフレーム部は前記第１と第２のロックアームの両翼にそれぞれが対向するように配置されている第１と第２の凸部を有しており、
前記第１と第２のレバー部を相手側リセプタクルから離反する方向に移動させると、前記第１と第２の凸部はそれぞれ第１と第２の作用片が当接して当該第１と第２のフック部のそれぞれが互いに近づく方向にそれぞれ移動し、当該プラグは相手側リセプタクルと解除状態になることを特徴とするプラグのロック機構。
【請求項８】
請求項１から７のいずれかに記載のプラグに接続され得ることを特徴とするリセプタクル。
【請求項９】
請求項８記載のリセプタクルであって、
当該リセプタクルの開口部における幅方向の縁部は金属板の第３のシェルで外被されていることを特徴とするリセプタクル。
【発明の詳細な説明】
【０００１】
【発明の属する技術分野】
本発明は、電気接続用のプラグにおけるロック機構に関する。
【０００２】
【従来の技術】
プラグとリセプタクルとが接続される電気接続用のコネクタがある。この場合、電気機器あるいは電子機器側にリセプタクルが実装され、このリセプタクルにプラグが着脱される。
【０００３】
このような電気接続用のコネクタにおいては、プラグとリセプタクルとの接続を確実にするため、ロック機構を設ける場合がある。ケーブル接続用プラグは、ロック機構を設ける場合が特に多い。
【０００４】
そして、ロック機構つきのプラグは、リセプタクルとの接続を確実にするとともにリセプタクルとの着脱容易性も求められる。
【０００５】
リセプタクルとの着脱が容易なプラグのロック機構として、プラグのカバーの幅方向両サイドに装着されるロックレバーのフックと、該プラグに接続するリセプタクルの対応する各位置に形成されている係合部とを係合させ、２個の該ロックレバーを押圧しながらプラグとリセプタクルを接続し、又はその接続を解除させる発明が開示されている（例えば、特許文献１）。
【０００６】
次に、強制引き抜き形のプラグのロック機構について図１０の斜視図により説明する。図１０において、符号３００はプラグ、符号４００はプラグ３００が挿抜される相手側リセプタクルである。なお、このプラグ３００と、このリセプタクル４００は小型のいわゆるマイクロコネクタである。
【０００７】
図１０において、絶縁性のプラグハウジング３０１には、板ばねであるコンタクト３０２がディアルインライン形に配列されている。プラグハウジング３０１の両側面には、ロックスプリング３０３及び３０４が相反するように配置されている。
【０００８】
ロックスプリング３０３及び３０４のそれぞれの先端部は円弧フック部３３Ａ及び３４Ｂが形成されており、円弧フック部３３Ａ及び３４Ｂはそれぞれの円弧が外側になるように、相反して配置されている。
【０００９】
また、円弧フック部３３Ａ及び３４Ｂは自由端であり、円弧フック部３３Ａ及び３４Ｂの反対側は固定端となり、前記固定端はそれぞれプラグハウジング３０１の側面に固定されている。
【００１０】
シャッター３０５は、コンタクト３０２とロックスプリング３０３及び３０４を覆うように開口しており、相手側リセプタクル４００との挿入方向と平行して移動自在になるようにプラグハウジング３０１と連結している。
【００１１】
プラグハウジング３０１の後部は、図示されないケーブルシールディングクランプと結合しており、シャッター３０５を移動自在に保持する。なお、一対の圧縮コイルばね３０６は、シャッター３０５における開口部に介装され、シャッター３０５が前方に移動する力を付勢している。
【００１２】
一方、相手側リセプタクル４００においては、絶縁性のリセプタクルハウジング４０１は、プラグハウジング３０１が挿入されるための開口部４０２が形成されており、開口部４０２における内壁上面と内壁下面には平板状のコンタクト４０３が対向するように配置されている。なお、内壁上面のコンタクトは図示されていない。
【００１３】
開口部４０２における幅方向内壁にはスライド板４０４及び４０５がそれぞれ取り付けられている。スライド板４０４及び４０５には段付き状の窪み４４Ａ及び４５Ｂが形成されている。開口部４０２内に窪み４４Ａ及び４５Ｂが対向するようにスライド板４０４及び４０５は配置されている。
【００１４】
シャッター板４０６は、スライド板４０４及び４０５と開口部４０２内壁の上下面に案内されて開口部４０２内を移動する。一対の圧縮コイルばね４０７は、シャッター４０６後壁とリセプタクルハウジング４０１後壁間に介装され、シャッター板４０６が開口部４０２前面に移動する力を付勢している。
【００１５】
リセプタクル４００の開口部４０２前面は、スライド板４０４及び４０５におけるそれぞれの前面が互いに僅かに内側に折れ曲がっており、このことによってシャッター板４０６が開口部４０２から飛び出すことを阻止している。
【００１６】
金属板のシェル４０８は、リセプタクルハウジング４０１を外装しており、シェル４０８に形成されるタブ等で、例えば、プリント基板に溶着され、リセプタクルを前記プリント基板に固定する。
【００１７】
次に、図１０における作用を説明する。まず、プラグハウジング３０１の頭部を開口部４０２に合わせるようにして、プラグ３００を相手側リセプタクル４００に挿入する。
【００１８】
プラグ３００が図中矢印Ｇ方向に一定距離進むと、円弧フック部３３Ａ及び３４Ｂはスライド板４０４及び４０５に挟まれ、円弧フック部３３Ａ及び３４Ｂは、互いに近づく方向に変位する。プラグハウジング３０１の頭部が開口部４０２に入ると、円弧フック部３３Ａ及び３４Ｂは図中矢印Ｐの方向に力が与えられ、ロックスプリング３０３及び３０４はそれぞれ弾性変形する。
【００１９】
プラグ３００をリセプタクル４００に挿入すると、シャッター板４０６は、プラグハウジング３０１の頭部に押されて、開口部４０２内を後退する。一方、シャッター３０５は、開口部４０２の前面壁に当接して、図中矢印Ｒ方向に相対的に後退する。
【００２０】
プラグ３００が図中矢印Ｇ方向に一定距離更に進むと、円弧フック部３３Ａ及び３４Ｂは窪み４４Ａ及び４５Ｂに陥没し、プラグ３００とリセプタクル４００はロック状態となる。
【００２１】
円弧フック部３３Ａ及び３４Ｂが窪み４４Ａ及び４５Ｂに係止した状態では円弧フック部３３Ａ及び３４Ｂは互いに外に広がる力をまだ有しており、ロックスプリング３０３及び３０４の弾性力で、プラグ３００とリセプタクル４００とのロック状態を維持する。
【００２２】
プラグ３００とリセプタクル４００とのロック状態においては、シャッター３０５及びシャッター板４０６はそれぞれ後退しており、コンタクト３０２とコンタクト４０３が接触し、プラグ３００とリセプタクル４００は電気的接続状態となる。
【００２３】
プラグ３００とリセプタクル４００とのロック状態から、ロックスプリング３０３及び３０４の弾性力に抗して、プラグ３００をリセプタクル４００から引き抜くと、シャッター３０５は一対の圧縮コイルばね３０６に付勢されて図中矢印Ｆの方向に復帰する。一方、シャッター板４０６は、一対の圧縮コイルばね４０７に付勢されて図中矢印Ｈの方向に復帰して、開口部４０２前面を塞ぐ。
【００２４】
このように、図１０における強制引き抜き形のロック機構においては、プラグ３００とリセプタクル４００はロックスプリング３０３及び３０４の弾性力でロック状態を維持し、リセプタクル４００からプラグ３００を引き抜くときは、レバーなどを操作することなく、引き抜く方向と一致した自然な動作でリセプタクル４００からプラグ３００を引き抜くことができる。
【００２５】
【特許文献１】
特開平６−２９０５８号公報
【００２６】
【発明が解決しようとする課題】
しかしながら、前述の発明においては、プラグに設けられたロックレバーの押圧部を指で押しながらプラグをリセプタクルから抜去するので、例えば、左右に揺さ振ってプラグを抜くので、コンタクトに負担のかかる場合がある。そして、このようなことは、コンタクトの接触不良の遠因ともなりかねない。
【００２７】
つまり、従来からのコネクタにおいては、プラグをリセプタクルから解除する際に、プラグを揺さぶって抜かれることから、プラグの挿抜方向と直交する方向に力が作用しがちであり、このことがコンタクトの接触不良をも招いていたのである。
【００２８】
これに関連し、近年の電子機器は、例えば、マイクロビデオカメラ又は携帯情報端末等のように小型化が著しく、プラグとリセプタクルにおいても小型化に伴い、コンタクトも狭ピッチ化しており、このような、いわゆるマイクロコネクタのコンタクトに負担をかけないロック機構が切望されている。
【００２９】
さらには、このようなロック機構つきマイクロコネクタであって、プラグをリセプタクルに接続していないときは、プラグのコンタクトをシャッターが覆って防塵し、プラグをリセプタクルに接続しているときは、シャッターが解除してプラグのコンタクトとリセプタクルのコンタクトとが接触するシャッター機構つきのマイクロコネクタも要望されている。
【００３０】
図１０における強制引き抜き形のロック機構においては、レバーなどを操作することなく、引き抜く方向と一致した自然な動作でリセプタクル４００からプラグ３００を引き抜くことができる。
【００３１】
しかしながら、図１０のロック機構においては、プラグ３００とリセプタクル４００はロックスプリング３０３及び３０４の弾性力でロック状態を維持しているので、プラグ３００とリセプタクル４００のロックが必ずしも確実ではない。
【００３２】
図１０のロック機構において、プラグ３００とリセプタクル４００のロック状態を確実に維持するために、ロックスプリング３０３及び３０４の弾性力を強化すると、プラグ３００の挿跋に大きな力を必要とする。
【００３３】
ロックスプリング３０３及び３０４とスライド板４０４及び４０５は互いに摺動しているので、ロックスプリング３０３及び３０４の弾性力を強化すると、互いに磨耗が激しくなってくる。少なくとも、８，０００〜１０，０００回の挿抜には耐えられなくてはならない。
【００３４】
特に、スライド板４０４及び４０５の前面が円弧フック部３３Ａ及び３４Ｂの挿抜で磨耗してくると、シャッター板４０６が開口部４０２から飛び出してしまうこともある。
【００３５】
ロック状態を解除すべく、図中矢印Ｐの方向に力を与えるプッシュ機構を設けるためには、ロックスプリング３０３及び３０４を包囲しているシャッター３０５の構造を変えなくてはならない。
【００３６】
本発明は、上述した課題を解決すべく、シャッター機構つきのプラグであって、コンタクトに負担がかからず、自然な動作でかつ、あまり強い力を必要としないでリセプタクルからプラグを抜くことができ、小型でコンタクトが多極、狭ピッチのコネクタにも適用できるプラグのロック機構を提供することを目的とする。
【００３７】
【課題を解決するための手段】
発明者は、上記目的を満たすため、以下のような新たなプラグのロック機構を発明した。
【００３８】
（１）  相手側リセプタクルに挿入されるためのヘッダー部はプラグフレーム部から突出しており、当該ヘッダー部と当該プラグフレーム部とが一体に形成されている絶縁性のプラグハウジングと、屈曲板ばねによるコンタクトであって、前記ヘッダー部に形成されている取り付け板部を間にして前記屈曲板ばねにおける各々の屈曲頂部が相反するように一対に並列配置されている複数のコンタクトと、シャッターフレーム部の両翼に相反するように第１と第２のレバー部を形成しており、当該第１と第２のレバー部は前記プラグフレーム部の側面から延出しており、当該シャッターフレーム部は前記複数のコンタクトを覆うようにして前記プラグフレーム部に摺動可能に内装されている絶縁性のプラグシャッターと、自由端部と固定端部とをそれぞれ有しており、当該自由端部は相手側リセプタクルにおける開口部内壁に係止するための第１と第２のフック部がそれぞれ形成されており、当該第１と第２のフック部が前記プラグフレーム部から突出しており、当該固定端部は前記開口部内壁に係止するための間隔を有して前記プラグフレーム部内に当該第１と第２のフック部が相反するようにそれぞれ固定されている第１と第２のロックアームと、を備えているプラグであって、前記第１と第２のロックアームは前記自由端部と前記固定端部の間にそれぞれ第１と第２の作用片が相反するように形成されており、前記シャッターフレーム部は前記第１と第２のロックアームの両翼にそれぞれが対向するように配置されている第１と第２の凸部を有しており、前記第１と第２のレバー部を相手側リセプタクルから離反する方向に移動させると、前記第１と第２の凸部はそれぞれ第１と第２の作用片が当接して当該第１と第２のフック部のそれぞれが互いに近づく方向にそれぞれ移動し、当該プラグは相手側リセプタクルと解除状態になることを特徴とするプラグのロック機構。
【００３９】
（１）記載の発明によれば、第１と第２のレバー部を挿抜方向と平行する方向に移動することによって、プラグを相手側リセプタクルから解除状態にでき、更に第１と第２のレバー部を把持したままプラグを挿抜方向と平行する方向に移動することによって、プラグを相手側リセプタクルから解除できる。このように、本発明によるプラグのロック機構は、プラグの挿抜方向と直交する方向に力が作用する可能性が低く、自然な動作でリセプタクルからプラグを抜くことができ、コンタクトに負担をかけることが少なくなる。
【００４０】
（２）  （１）記載のプラグのロック機構において、前記第１と第２の凸部がそれぞれ第１と第２の作用片に当接しないように、前記第１と第２の凸部を形成している前記シャッターフレーム部を前記自由端部側に移動させる力を付勢している弾性部材を備えていることを特徴とするプラグのロック機構。
【００４１】
（２）記載の発明によれば、プラグをリセプタクルから抜いて第１と第２のロックアームとを開放すれば、プラグをリセプタクルに挿入する前の状態に弾性部材の付勢力で第１と第２のロックアームを自動復帰させる。また、プラグをリセプタクルに挿入した状態では、弾性部材の付勢力で第１と第２のフック部によるロック状態を維持する。なお、前記弾性部材は例えば、圧縮コイルばねである。
【００４２】
（３）  （２）に記載のプラグのロック機構において、前記第１と第２のフック部はそれぞれ概二等辺直角三角形に形成されており、前記第１と第２のフック部におけるそれぞれの先端は、相手側リセプタクルの前記開口部における幅方向の縁部に当接するための斜面部を形成しており、前記第１と第２のフック部におけるそれぞれの後端は、前記開口部内壁に係止するための鈍角部を形成していることを特徴とするプラグのロック機構。
【００４３】
（３）記載の発明によれば、相手側リセプタクルに当該プラグを挿入する過程においては、前記第１と第２のフック部は相手側リセプタクルの前記開口部における幅方向の縁部に当接して前記第１と第２のフック部が互いに近づく方向にそれぞれ移動し、相手側リセプタクルに当該プラグを挿入した状態においては、前記第１と第２のフック部はそれぞれ復帰して前記第１と第２のフック部は前記開口部内壁に係止する。
【００４４】
（４）  （１）から（３）のいずれかに記載のプラグのロック機構において、前記プラグフレーム部を外被すると共に一部が突出してヘッダー部を部分的に外被している金属薄板の第１のシェルを更に備えていることを特徴とするプラグのロック機構。
【００４５】
（４）記載の発明によれば、金属薄板の第１のシェルでプラグフレーム部を外被することにより、プラグフレーム部を構造的に補強しており、更にはこのプラグを外被してシールドしている。また、第１のシェルは、その一部が突出してヘッダー部を部分的に外被しているので、相手側リセプタクルにおいてヘッダー部が挿入される開口部が金属板で外被されることによって、相手側リセプタクルとこのプラグが挿入状態において、相手側リセプタクルとこのプラグが一体でシールドされることになる。
【００４６】
（５）  （１）から（４）のいずれかに記載のプラグのロック機構において、前記ヘッダー部が相手側リセプタクルに挿入されていないときは、前記シャッターフレーム部は前記複数のコンタクトをその両側から包囲しており、前記ヘッダー部が相手側リセプタクルに挿入されているときは、前記シャッターフレーム部は相手側リセプタクルに押されて前記ヘッダー部から前記プラグフレーム部に後退して前記複数のコンタクトを露出させることを特徴とするプラグのロック機構。
【００４７】
（５）記載の発明によれば、プラグを相手側リセプタクルに挿入していない状態では、シャッターフレーム部が進出してコンタクトを包囲しており、コンタクトを手で容易に触れることができない。プラグを相手側リセプタクルに挿入した状態では、シャッターフレーム部が退出してコンタクトが相手側リセプタクルのコンタクトと接触し、相手側リセプタクルがコンタクトを包囲しているので、コンタクトを手で容易に触れることができない。
【００４８】
（６）  相手側リセプタクルに挿入されるためのヘッダー部はプラグフレーム部から突出しており、当該ヘッダー部と当該プラグフレーム部とが一体に形成されている絶縁性のプラグハウジングと、屈曲板ばねによるコンタクトであって、前記ヘッダー部に形成されている取り付け板部を間にして前記屈曲板ばねにおける各々の屈曲頂部が相反するように一対に並列配置されている複数のコンタクトと、前記複数のコンタクトにおける各々の縁部は前記ヘッダー部の下端に対向して延出しており、端部の両面に形成されているライン接続端子が前記複数のコンタクトにおける当該各々の縁部に溶着されて前記プラグハウジングに保持されているプリント基板と、シャッターフレーム部の両翼に相反するように第１と第２のレバー部を形成しており、当該第１と第２のレバー部は前記プラグフレーム部の側面から延出しており、当該シャッターフレーム部は前記複数のコンタクトを覆うようにして前記プラグフレーム部に摺動可能に内装されている絶縁性のプラグシャッターと、自由端部と固定端部とをそれぞれ有しており、当該自由端部は相手側リセプタクルにおける開口部内壁に係止するための第１と第２のフック部がそれぞれ形成されており、当該第１と第２のフック部が前記プラグフレーム部から突出しており、当該固定端部は前記開口部内壁に係止するための間隔を有して前記プラグフレーム部内に当該第１と第２のフック部が相反するようにそれぞれ固定されている第１と第２のロックアームと、を備えているプラグであって、前記第１と第２のロックアームは前記自由端部と前記固定端部の間にそれぞれ第１と第２の作用片が相反するように形成されており、前記シャッターフレーム部は前記第１と第２のロックアームの両翼にそれぞれが対向するように配置されている第１と第２の凸部を有しており、前記第１と第２のレバー部を相手側リセプタクルから離反する方向に移動させると、前記第１と第２の凸部はそれぞれ第１と第２の作用片が当接して当該第１と第２のフック部のそれぞれが互いに近づく方向にそれぞれ移動し、当該プラグは相手側リセプタクルと解除状態になることを特徴とするプラグのロック機構。
【００４９】
（６）記載の発明によれば、複数のコンタクトは例えば、０．５ｍｍの狭ピッチで配列されており、前記複数のコンタクトをケーブルの導体と電気接続する場合に、ライン接続端子を線パターンで放射状に回路を形成することにより、前記線パターンの端末ランドは前記ケーブルの導体をハンダ付けなどで接続するスペースを確保できる。すなわち、この発明におけるプリント基板は狭ピッチ接続端末から広ピッチ接続端末に変換する中継ボードの役割を担っている。また、前記プリント基板に調整抵抗や遅延素子などの電気部品を実装することもできる。
【００５０】
（７）  相手側リセプタクルに挿入されるためのヘッダー部はプラグフレーム部から突出しており、当該ヘッダー部と当該プラグフレーム部とが一体に形成されている絶縁性のプラグハウジングと、屈曲板ばねによるコンタクトであって、前記ヘッダー部に形成されている取り付け板部を間にして前記屈曲板ばねにおける各々の屈曲頂部が相反するように一対に並列配置されている複数のコンタクトと、前記複数のコンタクトにおける各々の縁部は前記ヘッダー部の下端に対向して延出しており、端部の両面に形成されているライン接続端子が前記複数のコンタクトにおける当該各々の縁部に溶着されて前記プラグハウジングに保持されているプリント基板と、シャッターフレーム部の両翼に相反するように第１と第２のレバー部を形成しており、当該第１と第２のレバー部は前記プラグフレーム部の側面から延出しており、当該シャッターフレーム部は前記複数のコンタクトを覆うようにして前記プラグフレーム部に摺動可能に内装されている絶縁性のプラグシャッターと、自由端部と固定端部とをそれぞれ有しており、当該自由端部は相手側リセプタクルにおける開口部内壁に係止するための第１と第２のフック部がそれぞれ形成されており、当該第１と第２のフック部が前記プラグフレーム部から突出しており、当該固定端部は前記開口部内壁に係止するための間隔を有して前記プラグフレーム部内に当該第１と第２のフック部が相反するようにそれぞれ固定されている第１と第２のロックアームと、前記プラグフレーム部を外装している第１のシェルと、横断面がコの字状に形成されており、対向する第１の両側面を有する第１の底面が前記第１のシェルと連結可能とする第１のメタルカバーと、横断面がコの字状に形成されており、対向する第２の両側面を有する第２の底面が前記第１のシェルと連結可能とする第２のメタルカバーと、前記第１のメタルカバーと前記第２のメタルカバーを内装しており、前記第１のシェルを連結させるためのケーブルシールディングクランプと、を備えているケーブル用プラグであって、前記第１と第２のロックアームは前記自由端部と前記固定端部の間にそれぞれ第１と第２の作用片が相反するように形成されており、前記シャッターフレーム部は前記第１と第２のロックアームの両翼にそれぞれが対向するように配置されている第１と第２の凸部を有しており、前記第１と第２のレバー部を相手側リセプタクルから離反する方向に移動させると、前記第１と第２の凸部はそれぞれ第１と第２の作用片が当接して当該第１と第２のフック部のそれぞれが互いに近づく方向にそれぞれ移動し、当該プラグは相手側リセプタクルと解除状態になることを特徴とするプラグのロック機構。
【００５１】
（７）記載の発明によれば、ケーブルシールディングクランプに予め第１のメタルカバーと第２のメタルカバーを内装しておき、ケーブルの導体をプラグ本体のプリント基板にハンダ付けし、その後、ケーブルを引きつつケーブルシールディングクランプにプラグ本体を連結できる。また、保守点検に際しては、プラグ本体とケーブルシールディングクランプを分離でき便利である。さらに、組み立ても容易である。
【００５２】
（８）  （１）から（７）のいずれかに記載のプラグに接続され得ることを特徴とするリセプタクル。
【００５３】
（９）  （８）記載のリセプタクルであって、当該リセプタクルの開口部における幅方向の縁部は金属板の第３のシェルで外被されていることを特徴とするリセプタクル。
【００５４】
「絶縁性のプラグハウジング」とは電気的に絶縁された材質で形成されたプラグハウジングと考えてよい。「絶縁性のプラグハウジング」は、コンタクトを電気絶縁体で保持する機能を有しているとしてよい。
【００５５】
「ヘッダー部とプラグフレーム部とが一体に形成されている」とは、プラグハウジングが電気絶縁体の合成樹脂材で一体に成型加工されていてもよい。また、合成樹脂材で一体に成形された後、部分的に機械加工されることを妨げない。更に、全てを一体に削り出し加工することを妨げない。
【００５６】
この発明における「コンタクト」は、０．５ｍｍ程度の挟ピッチで配列するためには「板ばね」であることが好ましい。「コンタクト」をピンで配列すると、コンタクトピンに対応するすり割ソケットピンの外径がある程度必要になり、０．５ｍｍ程度の挟ピッチでコンタクトを配列することが困難になる。
【００５７】
「コンタクト」の極数は、インターフェースコネクタとして使用されるのであれば、４０極は配列される。すなわち、片側２０個まで「コンタクト」が配列可能であり、コネクタの用途に対応して最低片側１３個（２６極）まで配列可能である。
【００５８】
「絶縁性のプラグシャッター」とは電気的に絶縁された材質で形成されたプラグシャッターと考えてよい。「絶縁性のプラグシャッター」は、コンタクトを電気絶縁体で隔絶する機能を有しているとしてよい。「シャッターフレーム部」はコンタクトが相手側コネクタに接続されているとき以外は、コンタクトを覆ってコンタクトを外部と隔絶すると考えてよい。
【００５９】
「プラグシャッター」は、シャッターフレーム部と第１と第２のレバー部及び第１と第２の凸部が一体で成形されて考えてよく、「プラグシャッターにおけるシャッターフレーム部」と「プラグハウジングにおけるプラグフレーム部」は摺動可能にすべり結合していると考えてよい。
【００６０】
したがって、「プラグシャッターにおけるシャッターフレーム部」は、「プラグハウジングにおけるプラグフレーム部」内に入れ子のように内装されているが、静的に内装されているのではなく、摺動可能に可動できるように内装されていると考えてよい。
【００６１】
そして、シャッターフレーム部は側面にすり割溝が形成された薄板の箱状に形成されていると考えてよく、プラグフレーム部の上部は、取り付け板部のコンタクト取り付け面側が開口しており、前記開口を介してシャッターフレーム部がコンタクトを覆うように突出していると考えてよい。
【００６２】
このようなシャッターの構造は、ヘッダー部の厚さを小さくすることを可能とし、ひいては、相手側リセプタクルの小型化を可能とするものである。
【００６３】
また、プラグを相手側リセプタクルから容易に抜去できるよう、「第１と第２のレバー部」は、相手側リセプタクルから引き抜き方向にかけて上昇する傾斜面を形成してもよい。前記傾斜面は、「第１と第２のレバー部」を把持したときに、指との滑りが少なくなるように、筋目又は綾目を形成してもよい。
【００６４】
「自由端部」は、「固定端部」と反対側の固定されていない端部を意味している。「自由端部」は、板ばねにおける自由端部に荷重が加えられたとき、弾性変形範囲内で前記板ばねが変形し、自由端部に荷重が除去されると、弾性復帰する機能を有している。
【００６５】
第１と第２のロックアームとの「固定端部」はそれぞれが圧入によってプラグフレーム部内に固定されてもよく、第１のロックアームの「固定端部」と第２のロックアームの「固定端部」を一体にしてねじなどの締結具でプラグフレーム部内に固定してもよい。
【００６６】
「第１と第２の作用片」は、第１と第２の凸部がそれぞれ当接して、第１と第２のロックアームをそれぞれ撓ませる部位のことを指し示している。したがって、「第１と第２の作用片」の実施形状は、「第１と第２のロックアームの一部が折り曲げ形成された三角辺」でもよく、「第１と第２のロックアームの一部に形成された突起」でもよい。
【００６７】
「弾性部材は、第１と第２の凸部を形成しているシャッターフレーム部を自由端部側に移動させる力を付勢している」とは、第１と第２の凸部が自由端部側に移動して、第１と第２のロックアームが開いた状態にすることを意味すると共に、シャッターフレーム部が移動して、シャッターフレーム部がコンタクトを露出させていた状態からコンタクトを覆う状態に変化させることも意味している。
【００６８】
「第１と第２のフック部におけるそれぞれの先端は、相手側リセプタクルの前記開口部における幅方向の縁部に当接するための斜面部を形成している」とは、前記縁部が前記斜面部に向かって相対的に進行していくとき、第１と第２のフック部はプラグの挿入方向と直交する方向に分力が作用することを示している。
【００６９】
第１と第２のフック部におけるそれぞれの先端を鋭角で形成すれば、第１と第２のフック部をリセプタクルの開口部に比較的弱い力で挿入できるという効果が期待でき、第１と第２のフック部をプラグの挿入方向と直交する方向に直接力を付与することなく、プラグの挿入に連動して第１と第２のフック部が閉じ、自然な動作でプラグをリセプタクルに挿入できる。なお、前記斜面部は比較的大きな半径の円弧で形成してもよい。さらに、リセプタクルの開口部における幅方向の縁部を金属シェルで外被することにより、リセプタクルの開口部の磨耗が少なくなる。
【００７０】
プラグとリセプタクルがロック状態においては、第１と第２のフック部は鈍角部の後壁面と開口部内壁面で当接しており、第１と第２のフック部は開口部内壁面から容易に解除しないという効果がある。
【００７１】
さらに、当該第１と第２のレバー部を把持して、プラグを挿入方向と逆方向に移動すると、第１と第２の凸部が第１と第２の作用片にそれぞれ当接して、第１と第２のロックアームはプラグの抜去方向と概直交する方向に分力が作用するので、比較的弱い力でロック状態を解除できるという効果がある。
【００７２】
【発明の実施の形態】
以下に、本発明の実施の形態について図面に基づいて説明する。
【００７３】
図１は、本発明による一実施形態におけるプラグの構成を示す斜視分解組立図である。図１における実施形態では、プラグ本体１００は、絶縁性のプラグハウジング１と、このプラグハウジング１に取り付けられている複数のコンタクト２と、絶縁性のプラグシャッター３と、後述する第１のシェル４（図２参照）と、第１のロックアーム７Ａ及び第２のロックアーム７Ｂと、圧縮コイルばね８と、を備えている。
【００７４】
そして、ケーブル用プラグ２００の構成としては、前述のプラグ本体１００の構成に加え、プリント基板５と、第１のメタルカバー６１と、第２のメタルカバー６２と、後述するケーブルシールディングクランプ６３とを備えている。
【００７５】
図１の実施形態においては、プラグハウジング１は、相手側リセプタクル９に挿入されるためのヘッダー部１Ａはプラグフレーム部１Ｂから突出しており、ヘッダー部１Ａとプラグフレーム部１Ｂとが一体に形成されている。
【００７６】
コンタクト２は屈曲板ばねによるコンタクトであって、ヘッダー部１Ａに形成されている取り付け板部１２を間にして屈曲板ばねにおける各々の屈曲頂部２１が相反するように一対に並列配置されている。コンタクト２は、いわゆる、デュアルインライン形に配列されている。
【００７７】
また、一対に並列配置されている複数のコンタクト２における各々の縁部２２はヘッダー部１Ａの下端に対向して延出している。
【００７８】
プラグシャッター３は中央に開口部３０を形成しているシャッターフレーム部３１を有し、その両翼に相反するように第１のレバー部３Ａと第２のレバー部３Ｂを形成している。
【００７９】
また、シャッターフレーム部３１の左翼には、レバー部３Ａを延出する開口室部３Ｃを形成しており、同様に、シャッターフレーム部３１の右翼には、レバー部３Ｂを延出する開口室部３Ｄを形成している。そして、シャッターフレーム部３１と、レバー部３Ａ及び３Ｂと、開口室部３Ｃ及び３Ｄとは一体に形成されている。なお、この発明では、開口室部３Ｃ及び３Ｄは、シャッターフレーム部３１の一部と見なしている。
【００８０】
シャッターフレーム部３１は複数のコンタクト２を覆うようにかつプラグフレーム部１Ｂに摺動可能に内装される。そして、シャッターフレーム部３１がプラグフレーム部１Ｂに内装された状態においては、レバー部３Ａとレバー部３Ｂはプラグフレーム部１Ｂの側面から延出している。
【００８１】
シャッターフレーム部３１は側面にすり割溝が形成された薄板の箱状に形成されており、一方、プラグフレーム部１Ｂの上部は取り付け板部１２のコンタクト２取り付け面側が開口しており、前記開口を介してシャッターフレーム部３１がコンタクト２を覆うように突出している。
【００８２】
第１のロックアーム７Ａと第２のロックアーム７Ｂは、その形状が左右対称の形成された板ばねであって、自由端部７１と固定端部７２とをそれぞれ有している。自由端部７１と固定端部７２との間には、それぞれ第１の作用片７４Ａと第２の作用片７４Ｂを形成している。
【００８３】
そして、それぞれの自由端部７１は相手側リセプタクル９における開口部９０内壁に係止するための第１のフック部７３Ａと第２のフック部７３Ｂがそれぞれ形成されている。
【００８４】
図１の実施形態において、フック部７３Ａ及び７３Ｂはそれぞれ概二等辺直角三角形に形成されている。そして、フック部７３Ａ及び７３Ｂにおけるそれぞれの先端は、相手側リセプタクル９の開口部９０における幅方向の縁部に当接するための斜面部７３Ｃ及び７３Ｄをそれぞれ形成している。また、フック部７３Ａ及び７３Ｂにおけるそれぞれの後端は、開口部９０内壁に形成されている溝９Ａ及び９Ｂに係止するための鈍角部を形成している。
【００８５】
ロックアーム７Ａ及び７Ｂは、フック部７３Ａ及び７３Ｂがプラグフレーム部１Ｂから突出するように、プラグフレーム部１Ｂに組み込まれる。ロックアーム７Ａ及び７Ｂの固定端部７２は、プラグフレーム部１Ｂ内にフック部７３Ａ及び７３Ｂが相反するようにそれぞれ圧入により固定されている。
【００８６】
プラグフレーム部１Ｂの内壁間隔にみあう幅を固定端部７２は有しており、固定端部７２がプラグフレーム部１Ｂの内壁間に圧入されることによって、ロックアーム７Ａ及び７Ｂの固定端部７２がプラグフレーム部１Ｂ内に固定される。このように固定された状態において、ロックアーム７Ａ及び７Ｂは、開口部９０内壁に係止するための間隔を有している。
【００８７】
弾性部材となる圧縮コイルばね８は、開口室部３Ｃ及び３Ｄに挿入される。圧縮コイルばね８の一端は、開口室部３Ｃ及び３Ｄの内壁で支持され、圧縮コイルばね８の他端は、後述するシェル４の折り曲げ片４Ａ及び４Ｂに当接する形で支持される。
【００８８】
引き続き、実施の形態におけるプラグの構成を説明する。図２はプラグ本体１００の組立図であり、図２（ａ）はプラグ本体１００の正面図、図２（ｂ）はプラグ本体１００の平面図である。なお、図２（ａ）の右半分は図２（ｂ）におけるＸ−Ｘ矢視断面図になっている。
【００８９】
図２において、シェル４は板厚０．２ｍｍ程度の板金で折り曲げ成形されている。そして、プラグフレーム部１Ｂの外壁と密着するように、シェル４はプラグフレーム部１Ｂを外装する。シェル４の一部は突出しており、ヘッダー部１Ａを部分的に外被している。金属薄板のシェル４でプラグフレーム部１Ｂを外被することにより、プラグフレーム部１Ｂを構造的に補強しており、更にはこのプラグ本体１００を外被してシールドしている。
【００９０】
シェル４の下部は部分的に折り曲げられ、折り曲げ片４Ａ及び４Ｂを形成している。折り曲げ片４Ａ及び４Ｂは圧縮コイルばね８の他端を支持する。なお、開口室部３Ｃ及び３Ｄに圧縮コイルばね８を挿入後、折り曲げ片４Ａ及び４Ｂは折り曲げ加工される。
【００９１】
シャッターフレーム部３１の開口部３０（図１参照）上面内壁には、ロックアーム７Ａ及び７Ｂの両翼に凸部３Ｅ及び３Ｆが形成されている。凸部３Ｅ及び３Ｆはそれぞれが対向するように配置されている。図２（ａ）の状態からレバー部３Ａ及び３Ｂを下降させると、凸部３Ｅ及び３Ｆは作用片７４Ａ（図１参照）及び７４Ｂに当接する。
【００９２】
図３は実施の形態によるプリント基板５の平面図である。両面プリント基板５は端部の両面にライン接続端子５１が形成されており、図２に示されたコンタクト２における各々の縁部２２にライン接続端子５１の両面が溶着されてプリント基板がプラグハウジング１に保持される。
【００９３】
図２及び図３の実施の形態において、複数のコンタクト２は例えば、０．５ｍｍの狭ピッチで配列されている。複数のコンタクト２をケーブルの導体と電気接続する場合に、図３で示されるようにライン接続端子５１を線パターン５２で放射状に回路を形成することにより、線パターン５２の端末ランド５３は前記ケーブルの導体をハンダ付けなどで接続するスペースを確保できる。
【００９４】
すなわち、この発明におけるプリント基板５は狭ピッチの接続端末から広ピッチの接続端末に変換する中継ボードの役割を担っている。また、プリント基板５に調整抵抗や遅延素子などの電気部品を実装することもできる。
【００９５】
実施の形態におけるプラグ本体１００の構成を図４により図１を参照しながら引き続き説明する。図４はプラグ本体１００の組立図であり、図４（ａ）は図２（ａ）の右側面図、図４（ｂ）は図２（ａ）のＺ−Ｚ矢視断面図、図４（ｃ）は図２（ａ）のＹ−Ｙ矢視断面図である。
【００９６】
図４（ｃ）において、プラグハウジング１における笠部１１と取り付け板部１２は縦断面Ｔ字状に形成されている。取り付け板部１２は両面にコンタクト２を取り付けるための溝が櫛の歯状に形成され、前記櫛の歯状の溝に複数のコンタクト２が圧入されている。
【００９７】
図４（ｃ）に示されるように、複数のコンタクト２は取り付け板部１２を間にして各々の屈曲頂部２１が相反するように一対に並列配置されている。そして、屈曲頂部２１は自由端であり、屈曲頂部２１が弾性復帰可能にコンタクト２は成形されている。
【００９８】
図４は、ヘッダー部１Ａが相手側リセプタクル９に挿入されていない状態であり、シャッターフレーム部３１（図１参照）を圧縮コイルばね８の付勢力で押し上げている状態である。図４の状態において、コンタクト２はシャッターフレーム部３１で包囲されている。
【００９９】
図４の状態から、ヘッダー部１Ａを相手側リセプタクル９の開口部９０（図１参照）に挿入すると、プラグシャッター３におけるシャッターフレーム部３１は、相手側リセプタクル９の開口部９０の縁部に相対的に押されて、ヘッダー部１Ａからプラグフレーム部１Ｂに後退してコンタクト２を露出させる。
【０１００】
図４（ｃ）において、相反する屈曲頂部２１の間隔は笠部１１の幅より僅かに大きく、シャッターフレーム部３１が後退して、ヘッダー部１Ａが相手側リセプタクル９に挿入されているときは、相反する屈曲頂部２１は相手側リセプタクル９の雌コンタクトに弾性接触する。
【０１０１】
このように、プラグ本体１００を相手側リセプタクル９に挿入していない状態では、シャッターフレーム部３１が進出してコンタクト２を包囲しており、コンタクト２を手で容易に触れることができない。プラグ本体１００を相手側リセプタクル９に挿入した状態では、シャッターフレーム部３１が退出してコンタクト２が相手側リセプタクル９の雌コンタクトと接触し、相手側リセプタクル９がコンタクト２を包囲しているので、コンタクト２を手で容易に触れることができない。
【０１０２】
次に、本発明におけるプラグのロック機構の動作を図５により説明する。図５（ａ）はプラグ本体１００と相手側リセプタクル９がロックした状態図であり、図５（ｂ）はプラグ本体１００と相手側リセプタクル９のロックが解除した状態図である。
【０１０３】
また、図５（ａ）及び図５（ｂ）の動作説明において、図１を参照しながらプラグ本体１００の左側を説明するが、プラグ本体１００と相手側リセプタクル９は左右対称に構成されており、左右対称に並列して動作するので、プラグ本体１００の右側の動作説明は必要の無い限り割愛する。
【０１０４】
図５（ａ）は、プラグ本体１００のヘッダー部１Ａが相手側リセプタクル９の開口部９０（図１参照）に挿入されている状態図であり、フック部７３Ａは開口部９０の内壁に形成されている溝９Ａに入り、プラブ本体１００は抜去できない状態となる。このようにしてプラグ本体１００と相手側リセプタクル９がロックする。
【０１０５】
図５（ａ）においては、プラグシャッター３は開口部９０の縁部に当接して後退しているので、凸部３Ｅとレバー部３Ａは図２（ａ）の状態よりプラブの抜去方向に後退している。
【０１０６】
図５（ａ）の状態から、レバー部３Ａを把持したままプラグ本体１００を挿抜方向と平行する方向に移動すると、図５（ｂ）の状態になる。言い換えれば、レバー部３Ａを相手側リセプタクル９から離反する方向に移動させると、図５（ｂ）の状態になる。
【０１０７】
すなわち、レバー部３Ａを相手側リセプタクル９から離反する方向に移動させると凸部３Ｅは作用片７４Ａ側に移動する。凸部３Ｅと作用片７４Ａは対向面が互いに傾斜面を形成しており、作用片７４Ａの傾斜面が凸部３Ｅの傾斜面に押されてフック部７３Ａは内側に移動する。
【０１０８】
フック部７３Ａ及び７３Ｂがそれぞれ互いに近づく方向にそれぞれ移動すると言い換えてもよいし、フック部７３Ａ及び７３Ｂがそれぞれ開口部９０の内壁に形成されている溝９Ａ及び９Ｂ（図１参照）から離反する方向に移動すると言い換えてもよい。
【０１０９】
このようにして、プラグ本体１００は相手側リセプタクル９と解除状態になる。なお、図５（ｂ）の状態から、レバー部３Ａを相手側リセプタクル９から離反する方向に更に移動させると、プラグ本体１００を相手側リセプタクル９から完全に抜去できる。
【０１１０】
そして、このような解除動作を容易にするために、レバー部３Ａの外面は相手側リセプタクル９から引き抜き方向にかけて上昇する傾斜面を形成している。前記傾斜面に筋目又は綾目を形成することにより、指との滑りが少なくなり更に解除動作が容易になることが期待できる。
【０１１１】
また、図５（ｂ）の状態から、レバー部３Ａを解放すると圧縮コイルばね８の付勢力で凸部３Ｅはフック部７３Ａ側に移動し、これに連動してフック部７３Ａは図５（ａ）の状態に復帰し、プラグ本体１００と相手側リセプタクル９がロックした状態に戻る。
【０１１２】
このように、プラグ本体１００をリセプタクル９に挿入した状態では、圧縮コイルばね８の付勢力でのフック部７３Ａによるロック状態を維持している。
【０１１３】
次に、プラグ本体１００をリセプタクル９に挿入する動作を図６により図１を参照しながら説明する。図６（ａ）はプラグ本体１００が相手側リセプタクル９に挿入される前の状態図であり、図６（ｂ）はプラグ本体１００が相手側リセプタクル９の開口部９０（図１参照）に挿入する直前の状態図である。
【０１１４】
図６（ａ）においては、圧縮コイルばね８の付勢力でプラグシャッター３は押し上げられ、シャッターフレーム部３１はプラグフレーム部１Ｂの前面内壁に当接している。一方、相手側リセプタクル９は、圧縮コイルばね９２の付勢力でシャッター９１が開口部９０の前面に進出し、シャッター９１は開口部９０を塞いでいる。
【０１１５】
図６（ａ）の状態から、プラグ本体１００を相手側リセプタクル９の開口部９０に挿入すると、ヘッダー部１Ａが開口部９０に進入する。一方、シャッターフレーム部３１（図１参照）の前面は開口部９０の前面壁に当接し、ヘッダー部１Ａが開口部９０に進入することに反比例してプラグシャッター３は相対的に後退する。すなわち、プラグシャッター３と一体であるレバー部３Ａは後退する。
【０１１６】
プラグ本体１００を相手側リセプタクル９にさらに挿入すると、フック部７３Ａは相手側リセプタクル９の開口部９０における幅方向の縁部に当接する。フック部７３Ａの先端は斜面部７３Ｃが形成されており、フック部７３Ａの進行に連動して、フック部７３Ａの進行方向と概直交する方向に分力が作用するので、フック部７３Ａはプラグ本体１００の中心側に移動する。
【０１１７】
図６（ｂ）は、プラグ本体１００の進行に連動して、フック部７３Ａがプラグ本体１００の中心側に移動している状態を示している。このとき、ロックアーム７Ａにおける凸部３Ｅは、ロックアーム７Ａの作用片７４Ａには必ずしも当接していない。プラグ本体１００を相手側リセプタクル９にさらに挿入すると、フック部７３Ａは弾性復帰し、図５（ａ）の状態となり、プラグ本体１００と相手側リセプタクル９はロック状態を維持する。
【０１１８】
図７は、プラグ本体１００を相手側リセプタクル９に挿入してロック状態時の断面図である。図７において、プラグ本体１００のヘッダー部１Ａはリセプタクル９における開口部９０に挿入され、シャッター９１は開口部９０の奥に後退している。以下、図１を参照しながら説明する。
【０１１９】
図７において、金属薄板のシェル４は、プラグフレーム部１Ｂを外被すると共に一部が突出してヘッダー部１Ａを部分的に外被している。一方、金属薄板のシェル９４は、リセプタクルハウジングを外被しているとともに、開口部９０の縁部からＵの字状に折れ曲がり内壁に延出している。
【０１２０】
図７においては、金属薄板のシェル４でプラグフレーム部１Ｂを外被することにより、プラグフレーム部１Ｂを構造的に補強しており、更にはこのプラグ本体１００を外被してシールドしている。
【０１２１】
また、シェル４は、その一部が突出してヘッダー部１Ａを部分的に外被しているので、相手側リセプタクル９においてヘッダー部１Ａが挿入される開口部９０が金属板で外被されることによって、相手側リセプタクル９とこのプラグ本体１００が挿入状態において、相手側リセプタクル９とこのプラグ本体１００が一体でシールドされることになる。
【０１２２】
次に、このプラグ本体１００を適用するケーブル用プラグ２００の構成を説明する。図８はケーブル用プラグ２００の部分構成による斜視分解組立図である。
【０１２３】
図８において、メタルカバー６１は例えば、厚さ０．３ｍｍ程度のステンレス鋼板であり、横断面がコの字状に形成されている。メタルカバー６１において、対向する側面６１２及び６１３を有する底面６１１には、矩形の貫通穴６１Ｃ及び６１Ｄが形成されている。貫通穴６１Ｃ及び６１Ｄには、シェル４の折り曲げ片４Ｅ及び４Ｆ（図２参照）が入る。
【０１２４】
メタルカバー６２は例えば、厚さ０．３ｍｍ程度のステンレス鋼板であり、横断面がコの字状に形成されている。メタルカバー６２において、対向する側面６２２及び６２３を有する底面６２１には、矩形の貫通穴６２Ａ及び６２Ｂが形成されている。貫通穴６２Ａ及び６２Ｂには、シェル４の折り曲げ片４Ｃ及び４Ｄ（図２参照）が入る。
【０１２５】
メタルカバー６１において、貫通穴６１Ｃ及び６１Ｄの後方には段付き突起６１Ｅ及び６１Ｆが、底面６１１と側面６１２及び６１３とで形成される空間６１０に隆起するように形成されている。段付き突起６１Ｅ及び６１Ｆには、シェル４の端部における突出片４１（図２参照）が挟まれるようにして入る。段付き突起６１Ｅ及び６１Ｆの後方には、段付き突起６１Ｇが、前記空間６１０から陥没するように形成されている。なお、段付き突起６１Ｇの作用は後述する。
【０１２６】
同様に、メタルカバー６２において、貫通穴６２Ａ及び６２Ｂの後方には段付き突起６２Ｃ及び６２Ｄが、底面６２１と側面６２２及び６２３とで形成される空間６２０に隆起するように形成されている。段付き突起６２Ｃ及び６２Ｄには、シェル４の端部における突出片４２（図４（ａ）参照）が挟まれるようにして入る。段付き突起６２Ｃ及び６２Ｄの後方には、段付き突起６２Ｅが、前記空間６２０から陥没するように形成されている。なお、段付き突起６２Ｅの作用は後述する。
【０１２７】
メタルカバー６１の側面６１２及び６１３にはそれぞれが対向するように２組のリブ６１Ｈが形成されている。メタルカバー６２においては、側面６２２及び６２３から空間６２０に部分的に打ち出し加工されることによって、リブ６１Ｈに入るインデント６２Ｇが、側面６２２及び６２３にそれぞれ２組形成されている。
【０１２８】
すなわち、側面６１２及び６１３の外壁間隔は、側面６２２及び６２３の内壁間隔より僅かに小さく、側面６１２及び６１３の外壁に側面６２２及び６２３の内壁が密着するように組み合わされ、リブ６１Ｈにインデント６２Ｇが入ることによって、メタルカバー６１とメタルカバー６２が結合するのである。
【０１２９】
なお、メタルカバー６１および６２のそれぞれの後部はその形状が扇状に収束し、最端部には、例えば、ケーブルクランプ部６１４が形成されている。
【０１３０】
図９は、本発明における実施の形態によるケーブル用プラグ２００の組立図である。図９（ａ）はケーブル用プラグ２００の平面図であり、図９（ｂ）は図９（ａ）の縦断面図である。なお、図９（ａ）の上半分は断面図になっている。
【０１３１】
図９（ｂ）に示されるように、ケーブルシールディングクランプ６３における開口部の上部内壁には窪み６３Ｅが形成されている。窪み６３Ｅに対向するように開口部の下部内壁には窪み６３Ｇが形成されている。
【０１３２】
前述のようにメタルカバー６１とメタルカバー６２が結合した状態で、ケーブルシールディングクランプ６３における開口部にメタルカバー６１及び６２を挿入すると、段付き突起６１Ｇ及び６２Ｅがそれぞれ窪み６３Ｇ及び６３Ｅに入ることによって、メタルカバー６１及び６２は、ケーブルシールディングクランプ６３に組み込まれることになる。
【０１３３】
そして、ケーブルシールディングクランプ６３から前記開口部を介して、ケーブルを外部に出し、プラグ本体１００におけるプリント基板５の端子にハンダ付け等の配線工事を施した後、ケーブルを引きつつ、プラグ本体１００をケーブルシールディングクランプ６３に連結できる。
【０１３４】
このように、プラグ本体１００をケーブルシールディングクランプ６３に連結あるいは分離できるので、配線工事が容易であり、保守点検にも便利である。
【０１３５】
なお、図９の実施例においては、プラグ本体１００は極数が４０極であり、コンタクトのピッチは０．５ｍｍであり、小型でコンタクトが多極、狭ピッチのコネクタを実現できた。このように、小型で多極のプラグは小型電子機器のインターフェースコネクタとしても適合する。
【０１３６】
【発明の効果】
本発明によるプラグは、プラグハウジングにコンタクトがディアルインライン形に配列されており、第１と第２のレバー部がプラグハウジングから延出するようにしてプラグシャッターがプラグハウジングに摺動可能に内装されている。
【０１３７】
前記第１と第２のレバー部を相手側リセプタクルから離反する方向にすなわち、プラグの挿抜方向と平行に移動させると、前記プラグシャッター内に形成された第１と第２の凸部が、第１と第２のロックアームの先端に形成されている第１と第２のフック部を互いに近づく方向に移動させ、前記第１と第２のフック部における相手側リセプタクルへのロック状態を解除できる。
【０１３８】
このように、本発明によるプラグのロック機構は、プラグの挿抜方向と直交する方向に力が作用する可能性が低く、自然な動作でリセプタクルからプラグを抜くことができ、コンタクトに負担をかけることが少なくなる。
【図面の簡単な説明】
【図１】本発明による一実施の形態におけるプラグの構成を示す斜視分解組立図である。
【図２】本発明におけるプラグ本体の組立図である。
【図３】本発明における実施の形態によるプリント基板の平面図である。
【図４】本発明における実施の形態におけるプラグ本体の構成図である。
【図５】本発明におけるプラグのロック機構の状態変化図である。
【図６】本発明におけるプラグ本体をリセプタクルに挿入する動作を説明する図である。
【図７】本発明にプラグ本体を相手側リセプタクルに挿入してロック状態時の断面図である。
【図８】本発明におけるケーブル用プラグの部分構成による斜視分解組立図である。
【図９】本発明における実施の形態によるケーブル用プラグの組立図である。
【図１０】従来技術における強制引き抜き形のプラグのロック機構における斜視図である。
【符号の説明】
１  プラグハウジング
１Ａ  ヘッダー部
１Ｂ  プラグフレーム部
２  コンタクト
３  プラグシャッター
３Ａ  レバー部
３Ｂ  レバー部
３Ｃ  開口室部
３Ｄ  開口室部
３Ｅ  凸部
３Ｆ  凸部
４  シェル
４Ａ  折り曲げ片
４Ｂ  折り曲げ片
４Ｃ  折り曲げ片
４Ｄ  折り曲げ片
５  プリント基板
７Ａ  ロックアーム
７Ｂ  ロックアーム
８  圧縮コイルばね（弾性部材）
９  リセプタクル
９Ａ  溝
９Ｂ  溝
１１  笠部
１２  取り付け板部
２１  屈曲頂部
２２  縁部
３０  開口部
３１  シャッターフレーム部
４１  突出片
４２  突出片
５１  ライン接続端子
５２  線パターン
５３  端末ランド
６１  メタルカバー
６２  メタルカバー
６３  ケーブルシールディングクランプ
７１  自由端部
７２  固定端部
７３Ａ  フック部
７３Ｂ  フック部
７３Ｃ  斜面部
７３Ｄ  斜面部
７４Ａ  作用片
７４Ｂ  作用片
９０  開口部
９１  シャッター
９２  圧縮コイルばね
９４  シェル
１００  プラグ本体
２００  ケーブル用プラグ
【図１】
2004259552.tif 000003
【図２】
2004259552.tif 000004
【図３】
2004259552.tif 000005
【図４】
2004259552.tif 000006
【図５】
2004259552.tif 000007
【図６】
2004259552.tif 000008
【図７】
2004259552.tif 000009
【図８】
2004259552.tif 000010
【図９】
2004259552.tif 000011
【図１０】
2004259552.tif 000012